(57)【要約】【課題】  眼用デバイスを提供する。【解決手段】  眼用デバイスは、ヒドロゲルレンズと、ヒドロゲルレンズに取り外し可能に取り付けられたメディアインサートと、を含む。メディアインサートをヒドロゲルレンズに取り外し可能に取り付ける方法は、環状開口部を含む第１のヒドロゲルレンズを受容することと、第１のヒドロゲルレンズの環状開口部にメディアインサートを少なくとも部分的に挿入することと、第１のヒドロゲルレンズの環状開口部からメディアインサートを取り外すことと、環状開口部を含む第２のヒドロゲルレンズを受容することと、第２のヒドロゲルレンズの環状開口部に取り外したメディアインサートを少なくとも部分的に挿入することと、を含む。【選択図】  図１
2014182400.tif 000002
【特許請求の範囲】
【請求項１】
眼用デバイスであって、
ヒドロゲルレンズと、
前記ヒドロゲルレンズに取り外し可能に取り付けられたメディアインサートと、を含む、眼用デバイス。
【請求項２】
前記ヒドロゲルレンズが、視覚ゾーンと、前記視覚ゾーンの外側の周辺ゾーンと、を含み、
前記メディアインサートが、前記ヒドロゲルレンズの前記視覚ゾーン内に取り外し可能に取り付けられる、請求項１に記載の眼用デバイス。
【請求項３】
前記ヒドロゲルレンズが、視覚ゾーンと、前記視覚ゾーンの外側の周辺ゾーンと、を含み、
２つ又は３つ以上の隆起部が、前記ヒドロゲルレンズの前記周辺ゾーンに含まれる、請求項１に記載の眼用デバイス。
【請求項４】
前記ヒドロゲルレンズの前記周辺ゾーン内の前記２つ又は３つ以上の隆起部の間に間隙部が位置し、酸素透過及び涙流を可能にする、請求項３に記載の眼用デバイス。
【請求項５】
前記メディアインサートの上面が、前記ヒドロゲルレンズの外側表面から部分的に突出する、請求項１に記載の眼用デバイス。
【請求項６】
前記メディアインサートが、少なくとも部分的にその周囲に沿ってリブを含む、請求項１に記載の眼用デバイス。
【請求項７】
前記メディアインサートが、その周囲に沿って２つ又は３つ以上のタブを含む、請求項１に記載の眼用デバイス。
【請求項８】
前記タブが弾性材料で作製される、請求項７に記載の眼用デバイス。
【請求項９】
前記メディアインサートが、下環状部を覆う上環状部を含み、かつ環状ステップを画定し、前記下環状部が前記上環状部の直径よりも大きい直径を有する、請求項１に記載の眼用デバイス。
【請求項１０】
前記ヒドロゲルレンズが、前記ヒドロゲルレンズの中心軸と重なる比較的平坦な部分を含む、請求項１に記載の眼用デバイス。
【請求項１１】
前記ヒドロゲルレンズが、前記メディアインサートの少なくとも一部を受容するように構成された環状開口部を含む、請求項１に記載の眼用デバイス。
【請求項１２】
前記メディアインサートが、締まりばめによって前記ヒドロゲルレンズに取り外し可能に取り付けられる、請求項１に記載の眼用デバイス。
【請求項１３】
前記メディアインサートが、付着取り付けによって前記ヒドロゲルレンズに取り外し可能に取り付けられる、請求項１に記載の眼用デバイス。
【請求項１４】
前記メディアインサートが１つ又は２つ以上の半導体素子を含む、請求項１に記載の眼用デバイス。
【請求項１５】
前記メディアインサートが１つ又は２つ以上の励起素子を更に備える、請求項１に記載の眼用デバイス。
【請求項１６】
ヒドロゲルレンズにメディアインサートを取り外し可能に取り付ける方法であって、
環状開口部を含む第１のヒドロゲルレンズを受容することと、
前記第１のヒドロゲルレンズの前記環状開口部にメディアインサートを少なくとも部分的に挿入することと、
前記第１のヒドロゲルレンズの前記環状開口部から前記メディアインサートを取り外すことと、
環状開口部を含む第２のヒドロゲルレンズを受容することと、
前記第２のヒドロゲルレンズの前記環状開口部に前記取り外したメディアインサートを少なくとも部分的に挿入することと、を含む、方法。
【請求項１７】
前記メディアインサートが取り付け機構を含む、請求項１６に記載の方法。
【請求項１８】
前記取り付け機構が、少なくとも部分的に前記メディアインサート周囲に沿ってリブを含む、請求項１７に記載の方法。
【請求項１９】
前記取り付け機構が、前記メディアインサート周囲に沿って２つ又は３つ以上のタブを含む、請求項１７に記載の方法。
【請求項２０】
前記メディアインサートが、前記第１のヒドロゲルレンズ及び前記第２のヒドロゲルレンズの形成に使用された材料よりも剛性が高い材料で形成される、請求項１６に記載の方法。
【発明の詳細な説明】
【技術分野】
【０００１】
本開示は、概して眼用デバイスに関し、より詳細には、取り外し可能なメディアインサートを含むヒドロゲルレンズに関する。
【背景技術】
【０００２】
従来、ヒドロゲルレンズ、眼内レンズ、又は涙点プラグなどの眼用デバイスは、矯正性、美容性、又は治療性を備える。例えば、コンタクトレンズは、視力矯正機能、美容向上、及び／又は治療効果を提供してよい。それぞれの機能は、コンタクトレンズの物理的特性によって提供される。例えば、屈折性は視力矯正機能を提供でき、色素は美容を向上でき、活性剤は治療機能を提供できる。こうした物理的特性は、レンズがエネルギー印加された状態となることなく実現される。
【０００３】
より最近になって、コンタクトレンズに半導体素子などの能動素子を組み込むことができることが理論付けられている。しかしながら、コンタクトレンズ構造体によって画定されるトポロジー及び寸法は、様々な機能を実行できる構成要素及び組成物を定義するのが新規で、かつ困難な環境をもたらす。例えば、半導体素子を含むコンタクトレンズは、生体適合性であり、周囲の眼組織を損傷したり、眼液の生成及び流れを阻害したりしないことが重要である。具体的には、半導体素子を含むコンタクトレンズの装用中に十分な量の酸素が角膜に到達できることが重要である。到達できなければ、眼の健康に悪影響を及ぼし得る。例えば、角膜に供給される酸素が不十分であると、水腫又は膨化、無酸素症が生じることがあり、通常、コンタクトレンズの装用可能期間を限定する多大な不快感を生じさせ得る。
【０００４】
概して、コンタクトレンズの装用中は酸素が角膜に到達でき、酸素は、レンズ装用時のレンズの運動中に、レンズ材料を通過する拡散によって、又はレンズ下の眼によって新たに生成される、酸素が供給された涙液によってのいずれかで到達できる。しかし、一部のコンタクトレンズは、低酸素透過性を有する材料で作製された構成要素又は処方を含んでよく、したがって、角膜に到達する酸素の大部分は、涙混合からの酸素に限定される。
【０００５】
したがって、ヒドロゲルレンズはより快適であり、より多くの酸素が眼に到達できるため、通常、他のコンタクトレンズ材料よりも好まれる。ヒドロゲルコンタクトレンズが装用されると、一部の酸素は、レンズからの拡散によって角膜に直接到達する。レンズを通って角膜に送達される酸素の量は、レンズの酸素透過性に応じて異なる。しかし、ヒドロゲルコンタクトレンズが繰り返し装用されると、その酸素透過孔が詰まり、ヒドロゲル材料が劣化し得る。したがって、ヒドロゲルレンズの酸素透過性は、時間と共に低下する。
【０００６】
酸素透過性の低下及び結果として生じる角膜の損傷リスクの増加を受けて、特定の使用期間（２週間後など）後に廃棄される、一時的、つまり使い捨てヒドロゲルコンタクトレンズが使用される。しかし、能動素子は比較的高価であり、したがって、使い捨てヒドロゲルレンズには組み込まれないことがある。
【発明の概要】
【発明が解決しようとする課題】
【０００７】
したがって、あるヒドロゲルレンズからメディアインサートが取り外され、別のヒドロゲルレンズに取り外し可能に取り付けられて、複数のヒドロゲルレンズへの活性素子の組み込みを可能にするように構成される、取り外し可能なメディアインサートを含むヒドロゲルレンズに対するニーズが存在する。
【課題を解決するための手段】
【０００８】
したがって、前述のニーズは、取り外し可能なメディアインサートを含むヒドロゲルレンズの１つ又は２つ以上の実施形態によって大部分満たされる。いくつかの実施形態によると眼用デバイスは、ヒドロゲルレンズと、ヒドロゲルレンズに取り外し可能に取り付けられたメディアインサートと、を含む。ヒドロゲルレンズは、視覚ゾーンと、視覚ゾーンの外側の周辺ゾーンと、を含んでよい。メディアインサートは、ヒドロゲルレンズの光学域内に取り外し可能に取り付けることができる。ヒドロゲルレンズの周辺ゾーンには、２つ又は３つ以上の隆起部が含まれてよい。ヒドロゲルレンズの周辺ゾーン内の２つ又は３つ以上の隆起部の間には間隙部が位置してよく、酸素透過及び涙液流路を可能にする。
【０００９】
いくつかの実施形態では、メディアインサートの上面は、ヒドロゲルレンズの外側表面から部分的に突出していてよい。メディアインサートは、少なくとも部分的にその周囲に沿ってリブを含むか、その周囲に沿って２つ又は３つ以上のタブを含むことができる。タブは、弾性材料で作製できる。
【００１０】
いくつかの実施形態では、メディアインサートは、下環状部を覆う上環状部を含み、環状ステップを画定してよい。下環状部は、上環状部の直径よりも大きい直径を有することができる。ヒドロゲルレンズは、ヒドロゲルレンズの中心軸と重なる、比較的平坦な部分を含むことができる。ヒドロゲルレンズは、メディアインサートの少なくとも一部を受容するように構成された環状開口部を含むことができる。メディアインサートは、締まりばめ又は付着ばめによってヒドロゲルレンズに取り外し可能に取り付けできる。いくつかの実施形態では、メディアインサートは、１つ又は２つ以上の半導体素子及び／又は１つ又は２つ以上の励起素子を含んでよい。
【００１１】
いくつかの実施形態によると、メディアインサートをヒドロゲルレンズに取り外し可能に取り付ける方法は、環状開口部を含む第１のヒドロゲルレンズを受容することと、第１のヒドロゲルレンズの環状開口部にメディアインサートを少なくとも部分的に挿入することと、第１のヒドロゲルレンズの環状開口部からメディアインサートを取り外すことと、環状開口部を含む第２のヒドロゲルレンズを受容することと、第２のヒドロゲルレンズの環状開口部に取り外したメディアインサートを少なくとも部分的に挿入することと、を含む。
【００１２】
いくつかの実施形態では、メディアインサートは取り付け機構を含むことができる。取り付け機構は、少なくとも部分的にメディアインサートの周囲に沿ってリブを含むか、メディアインサートの周囲に沿って２つ又は３つ以上のタブを含むことができる。メディアインサートは、第１のヒドロゲルレンズ及び第２のヒドロゲルレンズの形成に使用された材料よりも剛性が高い材料で形成できる。
【００１３】
取り外し可能なメディアインサートを含むヒドロゲルレンズの特定の実施態様は、下記の発明を実施するための形態を理解しやすいように概要を示している。当然のことながら、下記で説明され、請求の範囲の主題を形成する追加の実施態様も存在する。
【００１４】
この点では、少なくとも１つの実施態様について詳細に説明する前に、取り外し可能なメディアインサートを含むヒドロゲルレンズは、その使用において、下記の説明に記載されるか又は図面で示される構成要素の配置及び構造体の詳細に限定されないことを理解されたい。また、本明細書並びに概要で用いられる表現及び用語は、説明を目的とするものであり、限定するものと見なされるべきではない。
【００１５】
したがって、当業者は、本開示が基づく概念が、取り外し可能なメディアインサートを含むヒドロゲルレンズのいくつかの目的を実行するための他の構造体、方法、及びシステムを設計するための基盤として直ちに使用し得ることを理解するであろう。したがって、本出願の趣旨及び範囲から逸脱しない限り、請求の範囲がかかる同等の構造体を含むことが理解される。
【図面の簡単な説明】
【００１６】
【図１】隆起部を含む例示の眼用デバイスの断面図を含む、三次元斜視図を示す。
【図２】隆起部を含む例示のヒドロゲルレンズの隆起部の部分拡大斜視図及び断面図を示す。
【図３】隆起部と取り外し可能なメディアインサートと、を含む例示の眼用デバイスの部分断面図を示す。
【図４ａ】例示の取り付け機構を含む分離した取り外し可能なメディアインサートの部分断面図を示す。
【図４ｂ】取り外し可能なメディアインサートを備えない、例示の眼用デバイスの平面図を示す。
【図４ｃ】第１の例示の取り付け機構を備える取り外し可能なメディアインサートを含む例示の眼用デバイスの部分断面図を示す。
【図４ｄ】取り外し可能なメディアインサートを含む例示の眼用デバイスの平面図を示す。
【図５ａ】例示の眼用デバイス及び第２の例示の取り付け機構を備える分離した取り外し可能なメディアインサートの部分断面図を示す。
【図５ｂ】取り外し可能なメディアインサートを備えない、例示の眼用デバイスの平面図を示す。
【図５ｃ】第２の例示の取り付け機構を備える取り外し可能なメディアインサートを含む例示の眼用デバイスの部分断面図を示す。
【図５ｄ】取り外し可能なメディアインサートを含む例示の眼用デバイスの平面図を示す。
【図６ａ】例示の眼用デバイス及び第３の例示の取り付け機構を含む分離した取り外し可能なメディアインサートの部分断面図を示す。
【図６ｂ】取り外し可能なメディアインサートを備えない、例示の眼用デバイスの平面図を示す。
【図６ｃ】第３の例示の取り付け機構を備える取り外し可能なメディアインサートを含む例示の眼用デバイスの部分断面図を示す。
【図６ｄ】取り外し可能なメディアインサートを含む例示の眼用デバイスの平面図を示す。
【図７ａ】例示の眼用デバイス及び第４の例示の取り付け機構を含む分離した取り外し可能なメディアインサートの部分断面図を示す。
【図７ｂ】取り外し可能なメディアインサートを備えない、例示の眼用デバイスの平面図を示す。
【図７ｃ】第４の例示の取り付け機構を備える取り外し可能なメディアインサートを含む例示の眼用デバイスの部分断面図を示す。
【図７ｄ】取り外し可能なメディアインサートを含む例示の眼用デバイスの平面図を示す。
【００１７】
同様の参照番号は、発明を実施するための形態及び図面を通じて同様の要素を示す。
【発明を実施するための形態】
【００１８】
取り外し可能なメディアインサートを含むヒドロゲルレンズが開示される。取り外し可能なメディアインサートは、様々な取り付け機構を使用してヒドロゲルレンズに取り外し可能に取り付けできる。加えて、ヒドロゲルレンズには、眼表面とヒドロゲルレンズとの間に空洞を形成する隆起部が含まれており、眼表面とヒドロゲルレンズとの間の酸素透過及び涙流を向上させてよい。
【００１９】
用語集
本説明及び特許請求の範囲において様々な用語が使用されてよく、下記の定義が適用される。
能動レンズインサート：本明細書で使用するとき、論理回路に基づく制御を有する、電子式インサートデバイス又はエレクトロメカニカルデバイスを指してよい。
【００２０】
機能化層インサート：本明細書で使用するとき、複数の機能層の少なくとも一部が積み重ねられた複数の機能層から形成された眼用デバイス向けインサートを指してよい。この複数の層は、各層に唯一の機能性を有してよい、又はあるいは、複数の層内で混合した機能性を有してよい。いくつかの実施形態では、層は環状であってよい。
【００２１】
レンズ：本明細書で使用するとき、眼内、又は眼の上にある任意の眼用デバイスを指してよい。
【００２２】
レンズ構成要素：本明細書で使用するとき、色素、電子式構成要素、ＵＶブロッカ、ティント、光開始剤、触媒、光学構成要素、及び／又はレンズの特定機能を提供するために好適な活性剤などが含まれるが、これらに限定されない。機能性としては、例えば、光学的補正、視力の向上、美容的効果、及び治療機能の１つ又は２つ以上が挙げられてよい。
【００２３】
レンズ設計：本明細書で使用するとき、所望のレンズの形態、機能、及び／又は外観を指してよく、レンズが製造されると、光学的屈折力の補正、色的外観、治療機能、装用性、許容可能な透過性、形状、組成、順応性、許容可能なレンズのフィット感（例えば、角膜のカバレージ及び運動）、及び許容可能なレンズの回転安定性などを含むが、これらに限定されない機能特性をもたらし得る。
【００２４】
メディアインサート：本明細書で使用するとき、眼用レンズ内で電池などの励起素子を支持できる、成形性又は剛性の基材を指してよい。実施形態によっては、メディアインサートはまた、１つ又は２つ以上の可変光学レンズを含む。
【００２５】
成形型：本明細書で使用するとき、未硬化調合物からレンズを形成するために使用され得る、剛性又は半剛性の物体を指してよい。一部の成形型は、隆起部を含むヒドロゲルレンズの形成に使用される１つ又は２つの成形型部分を含んでよい。
【００２６】
眼球インサート：本明細書で使用するとき、眼用デバイス内に含まれるか、眼用デバイスに取り付けできる、任意の能動レンズインサート、メディアインサート、又は機能化層インサートを指してよい。
【００２７】
眼用デバイス：本明細書で使用するとき、眼内又は眼の上に位置することができる、任意の眼用デバイスを指してよい。これらの装置は、光学補正、光学治療の１つ又は２つ以上を提供でき、美容用であってよい。例えば、生物医学的眼用デバイスは、エネルギー印加されたコンタクトレンズ、眼内レンズ、オーバーレイレンズ、眼球インサート、光学インサート、涙点プラグ、又は視力を矯正する、修正する、眼の状態を改善する、阻止する、及び／若しくは眼の生理機能が美容上改善される（例えば、虹彩色）他の同様の眼用デバイスを指してよい。いくつかの実施形態では、本発明の眼用デバイスとして、シリコーンヒドロゲル、及びフルオロヒドロゲルを含むがこれらに限定されない、シリコーンエラストマー又はヒドロゲルから作製される、ソフトコンタクトレンズが挙げられる。
【００２８】
眼表面：本明細書で使用するとき、眼の前面領域を指してよい。
【００２９】
視覚ゾーン：本明細書で使用するとき、レンズ形成後に眼用レンズの装用者がそれを通じて見る眼用デバイス又はレンズの領域を指してよい。
【００３０】
周辺ゾーン：本明細書で使用するとき、用語「周辺ゾーン」又は「非視覚ゾーン」は、眼用レンズの視覚ゾーンの外側の眼用レンズの区域を指してよく、したがって、それは、眼用レンズを通常の処方されるやり方で眼の上、眼の近く、又は眼の中での装用中にレンズ装用者がそれを通して見ることになる部分の外側である。
【００３１】
積み重ねられた：本明細書で使用するとき、１つの第１の構成要素の表面の少なくとも一部が、第２の構成要素の表面の少なくとも一部に接触するように、少なくとも２つの構成要素の表面を互いに近接して配置することを指してよい。いくつかの実施形態では、接着のためであれ、又は他の機能のためであれ、フィルムが、互いに近接する２つの表面の間に存在できる。いくつかの実施形態では、構成要素の積み重ねは、封入された第１の構成要素をもたらしてよい。構成要素類は、共に眼用デバイスを形成する、眼球インサート及びヒドロゲルレンズであってよい。
【００３２】
ここで図１を参照すると、本発明の開示による眼用デバイス１０の三次元斜視図が示されている。具体的には、図１は、眼の眼表面１００に近接するヒドロゲルレンズ２０の凹面に例示の隆起部５０を含む眼用デバイス１０を示す。眼用デバイス１０は、ヒドロゲルレンズ２０を含む。ヒドロゲルレンズ２０は、視覚ゾーン３０と、周辺ゾーン４０と、を含む。ヒドロゲルレンズ２０は、シリコーンハイドロゲル材料又は眼用レンズでの使用が既知である任意の生体適合性ヒドロゲル材料で構成できる。
【００３３】
いくつかの実施形態では、例えば、眼用レンズの種類としてシリコーン含有成分を含んでよい。シリコーン含有成分は、モノマー、マクロマー又はプレポリマー中に少なくとも１個の［−Ｓｉ−Ｏ−］単位を含有する成分であってよい。好ましくは、シリコーン含有成分中に存在するシリコン（Ｓｉ）及び酸素（Ｏ）の総量は、そのシリコーン含有成分の総分子量の約２０重量％より大きい、より好ましくは３０重量％より大きい。有用なシリコーン含有成分には、好ましくは、アクリレート、メタクリレート、アクリルアミド、メタクリルアミド、ビニル、Ｎ−ビニルラクタム、Ｎ−ビニルアミド、及び／又はスチリル官能基などの重合性官能基が含まれる。
【００３４】
ヒドロゲルレンズ２０の周辺ゾーン４０は、眼表面１００に近接するヒドロゲルレンズ２０の内側表面に複数の隆起部５０を含んでよい。隆起部５０は周辺ゾーン４０に沿って離間しているか、位置付けられており、視覚ゾーン３０には存在しない。これは、隆起部５０が装用者の視覚を妨げないようにするためである。
【００３５】
隆起部５０は周辺ゾーン４０に沿って離間しており、隣接する隆起部５０間に間隙部６０を設ける。図１は、例えば、２つの間隙部６０を示している。間隙部６０により、酸素透過が可能になる。これは、眼表面１００が露出しているため、すなわち、間隙部６０においてヒドロゲルレンズ２０と接触していないため、酸素は、隆起部５０を透過する必要なく、眼表面１００に到達できる。間隙部６０ではまた、涙流が生じ得る。したがって、眼表面１００に供給される酸素の量が更に増加する。
【００３６】
２つ又は３つ以上の隆起部５０が周辺ゾーン４０に含まれてよい。隆起部５０の数及び寸法によって間隙部６０の数及び寸法が決定され、これにより、酸素透過及び涙流が増減し得る。例えば、ヒドロゲルレンズ２０の直径及び隆起部５０の円周長さに応じて、２つ又は３つ以上の間隙部６０が周辺ゾーン４０に含まれてよい。いくつかの実施形態では、４つの隆起部が周辺ゾーン４０に含まれてよく、間隙部６０は約１ｍｍの円周長さを有してよい。
【００３７】
いくつかの実施形態では、隆起部５０は、周辺ゾーン４０の周囲を包むように正弦曲線パターンで配置されてよい。正弦曲線の振幅は、３マイクロメートル〜８０マイクロメートルの範囲であってよい。ヒドロゲルレンズ２０内の正弦曲線の頂点の数は、例えば、２〜５０の範囲であってよい。隆起部５０の他の配置も可能であり、配置は、正弦曲線又は左右対称の周期的形状に限定されない。
【００３８】
隆起部５０は、眼表面１００の自然な柔軟性が隆起部５０の形状にぴったり一致しないように十分に大きい表面積を有するべきであり、したがって、眼表面１００と隆起部５０との間に空洞７０を占める。ただし、隆起部５０は、比較的低い可撓性のために眼表面１００に高い接触応力をもたらし、装用者に不快感又は損傷を与えたりするほどに大きくてはいけない。
【００３９】
隆起部５０は、上記の及び／又は眼用レンズでの使用が既知である任意の生体適合性材料からなってよい。例えば、いくつかの実施形態では、隆起部５０は、ヒドロゲル又はシリコーンハイドロゲルで構成できる。したがって、隆起部５０は、ヒドロゲルレンズ２０の形成に使用された同一のヒドロゲルで構成できる。更に他の実施形態では、隆起部５０は、ヒドロゲルレンズ２０よりも剛性の材料をもたらす、異なる材料で構成できる。隆起部５０のより剛性の材料は、眼表面１００上でヒドロゲルレンズ２０を支持できる。
【００４０】
いくつかの実施形態では、ヒドロゲルレンズ２０及び隆起部５０は注型成形によって形成できる。未硬化調合物からのヒドロゲルレンズ２０及び隆起部５０の形成には、成形型が使用できる。一部の成形型には２つの成形型部分が含まれて、ヒドロゲルレンズ２０及び隆起部５０を形成してよい。より長い時間をかけて隆起部５０を選択的に重合するか、異なるモノマーを使用することによって、ヒドロゲルレンズ２０及び隆起部５０の異なる特性を実現することができる。これにより、向上した剛性、硬直性、及び／又は強度を有する隆起部５０がもたらされ得る。
【００４１】
ここで図２を参照すると、ヒドロゲルレンズ２０の隆起部５０の拡大斜視図が示されている。隆起部５０は、ヒドロゲルレンズ２０の周辺ゾーン４０に沿って、半径方向及び接線方向の両方向に円滑に移行する。隆起部５０の寸法及び形状は、ヒドロゲルレンズ２０の寸法及び形状に従って設計できる。
【００４２】
ヒドロゲルレンズ２０の隆起部５０は、ヒドロゲルレンズ２０と眼表面１００との間に空洞７０を形成できる。いくつかの実施形態では、空洞７０は、ヒドロゲルレンズ２０の厚さの少なくとも１０％の厚さを有してよい。例えば、いくつかの実施形態では、空洞７０は、眼表面１００の約０．０６５ｍｍ上にあってよい。したがって、隆起部５０は、ヒドロゲルレンズ２０が眼表面１００に密着しないようにし、空洞７０の内側での酸素透過及び涙流を可能にする。
【００４３】
空洞７０の寸法及び形状は、隆起部５０の数及び形状によって決定される。空洞７０の寸法及び形状が大きければ、ヒドロゲルレンズ２０に接触していない眼表面１００の表面積が大きくなり、したがって、酸素透過及び涙流も増加する。しかし、隆起部５０の表面積及び数が過大である場合、眼表面１００に対する酸素透過及び涙流は限定され得る。したがって、隆起部５０の寸法及び数は、酸素透過及び涙流を最大化して眼の健康を促進するように選択されるべきである。したがって、いくつかの実施形態では、隆起部５０は、眼表面１００の表面積の５０％未満の総表面積を有する。
【００４４】
図３を参照すると、酸素透過及び涙流を向上させることによって、ヒドロゲルレンズ２０は、能動レンズインサート、メディアインサート、及び機能化層インサートなどの構成要素をヒドロゲルレンズ２０に組み込むことができる。構成要素は、ヒドロゲルレンズ２０と比較して低い酸素透過性を有してよい。いくつかの実施形態では、構成要素は互いの上に積み重ねされてよい。例えば、図３に示されるように、取り外し可能なメディアインサート９０はヒドロゲルレンズ２０に取り付けられ、これにより取り外し可能なメディアインサート９０が支持される。図３の断面図に示されるように、取り外し可能なメディアインサート９０は、眼表面１００と反対側のヒドロゲルレンズ２０の上面の上に延在してよい。隆起部５０は、図３の眼用デバイス１０の断面図には示されていない。ヒドロゲルレンズ４０２は隆起部５０を含んでよいため、取り外し可能なメディアインサート９０は、眼での酸素透過及び涙流に悪影響を及ぼさずに使用できる。
【００４５】
取り外し可能なメディアインサート９０は剛性であってよいので、取り外し可能なメディアインサート９０は、ほぼ破れない封止を眼表面１００と形成する。したがって、周辺ゾーン４０に配置されるのとは対照的に、隆起部５０は、取り外し可能なメディアインサート９０の周囲に沿って配置されてよく、隆起部５０は、十分ヒドロゲルレンズ２０の表面の中に円滑に混合するのに十分なほど半径方向の内側及び外側に広がり、眼との接触応力を最小化する。
【００４６】
図４ａを参照すると、眼用デバイスは、半導体デバイス及び励起素子などの電子部品を組み込んだ取り外し可能なメディアインサート４００を含んでよい。幾つかの実施形態では、メディアインサート４００は、視覚的特性を提供する視覚ゾーン部分（視覚補正に利用されるものなど）と、非視覚ゾーン部分と、を含み得る。励起素子は、メディアインサート４００の視覚ゾーン部分及び非視覚ゾーン部分の１つ又は両方に配置されてよい。取り外し可能なメディアインサート４００は、剛性又は可撓性のいずれかである環状インサートであってよく、装用者がそれを通じて見る視覚ゾーンを避けてよい。したがって、いくつかの実施形態では、メディアインサート４００は、視覚ゾーン３０の半径と実質的に等しい、又はそれよりも小さい半径を有してよい。
【００４７】
メディアインサート４００は、ヒドロゲルレンズ４０２の外側表面４０６に形成された環状開口部４０４内でヒドロゲルレンズ４０２に取り外し可能に取り付けできる。ヒドロゲルレンズ４０２の内側表面４０８は外側表面４０６に対向しており、ヒドロゲルレンズ４０２の装用時には眼表面１００と接触する。環状開口部４０４は、ヒドロゲルレンズ４０２の内側表面４０８までは延在しない。いくつかの実施形態では、ヒドロゲルレンズ４０２は、周辺ゾーン４０に隆起部５０を含むヒドロゲルレンズ２０であってよい。他の実施形態では、図４ｂの平面図に示されるように、ヒドロゲルレンズ４０２は隆起部５０を含まなくてよい。
【００４８】
メディアインサート４００は、メディアインサート４００の少なくとも一部の周囲に沿って位置するリブ４０１を含む。リブ４０１は、メディアインサート４００の周壁から延在する一連の突出部を含む。リブ４０１は、メディアインサート４００と同一の材料で作製されてよく、又は剛性である別の材料で作製されてもよい。ヒドロゲルレンズ４０２は可撓性材料で作製されているため、リブ４０１の突出部は、環状開口部４０４の壁に摩擦力を印加する。したがって、ヒドロゲルレンズ４０２にメディアインサート４００を取り外し可能に取り付ける。いくつかの実施形態では、図４ｃの断面図に示されるように、メディアインサート４００の上面は、ヒドロゲルレンズ４０２の外側表面４０６から部分的に突出してよい。他の実施形態では、メディアインサート４００の上面は、ヒドロゲルレンズ４０２の外側表面４０６と同一平面にあってよい。図４ｄは、挿入されたメディアインサート４００を備えるヒドロゲルレンズ４０２の平面図を示している。
【００４９】
メディアインサート４００はヒドロゲルレンズ４０２に取り外し可能に取り付けられているため、例えば、別のヒドロゲルレンズ４０２に挿入するためにヒドロゲルレンズ４０２から取り外されてよい。したがって、別のヒドロゲルレンズ４０２に取り外し可能に取り付けるためにメディアインサート４００が保持される一方で、ヒドロゲルレンズ４０２は、装用者が破棄してよい。
【００５０】
図５ａを参照すると、眼用デバイスは取り外し可能なメディアインサート５００を含んでよい。メディアインサート５００は、取り外し可能なメディアインサート４００と同一の電子部品を組み込んでよい。メディアインサート５００は、環状開口部４０４内でヒドロゲルレンズ４０２に取り外し可能に取り付けられてよい。メディアインサート５００は、メディアインサート５００の周囲に沿って位置するタブ５０１を含む。メディアインサート５００は、メディアインサート５００から半径方向に延在するストリップ又は導線であってよい、２つ又は３つ以上の任意の数のタブ５０１を含んでよい。いくつかの実施形態では、好ましくは、タブ５０１はメディアインサート５００の周囲に沿って等距離で分離されていてよく、一方他の実施形態では、タブ５０１は等距離で分離されていなくてよい。タブ５０１は、メディアインサート５００と同一の材料で作製されてよく、又は弾性である別の材料で作製されてよく、タブ５０１が環状開口部４０４に挿入されると屈曲し、環状開口部４０４内にあるときは非応力状態に戻ることができる。
【００５１】
タブ５０１の弾性材料は、タブ５０１が環状開口部４０４の壁に接触すると、まずメディアインサート５００の周囲に向かって内側に屈曲する。メディアインサート５００が環状開口部４０４に挿入されると、タブ５０１は非応力状態に戻り、タブ５０１の弾性材料によって環状開口部４０４の壁に対して印加された力は、ヒドロゲルレンズ４０２にメディアインサート５００を取り外し可能に取り付ける。いくつかの実施形態では、図５ｃの断面図に示されるように、メディアインサート５００の上面は、ヒドロゲルレンズ４０２の外側表面４０６から部分的に突出してよい。他の実施形態では、メディアインサート５００の上面は、ヒドロゲルレンズ４０２の外側表面４０６と同一平面にあってよい。図５ｄは、挿入されたメディアインサート５００を備えるヒドロゲルレンズ４０２の平面図を示している。メディアインサート５００はヒドロゲルレンズ４０２に取り外し可能に取り付けられているため、例えば、別のヒドロゲルレンズ４０２に挿入するためにヒドロゲルレンズ４０２から取り外されてよい。
【００５２】
図６ａを参照すると、眼用デバイスは取り外し可能なメディアインサート６００を含んでよい。メディアインサート６００は、メディアインサート４００と同一の電子部品を組み込んでよい。メディアインサート６００は、環状開口部６０４内でヒドロゲルレンズ４０２に取り外し可能に取り付けられてよい。メディアインサート６００は機能化層インサートであり、環状ステップ６０３を画定する積み重ね構造内で上環状部６０１及び下環状部６０２を含んでよい。下環状部６０２は、上環状部６０１よりも大きい直径を有する。メディアインサート６００の積み重ね構造により、積み重ねレイアウトを必要とし得る電子部品の組み込みが可能になる。環状開口部６０４は、上環状領域６０６と、下環状領域６０８と、を含む。同様に、下環状領域６０８は、上環状領域６０６よりも大きい直径を有する。
【００５３】
メディアインサート６００が環状開口部６０４の上環状領域６０６に接触すると、上環状領域６０６の可撓壁を半径方向外側に屈曲させる。メディアインサート６００が環状開口部６０４に挿入されると、上環状領域６０６の可撓壁は非応力位置に戻り、環状ステップ６０３の上面を被覆する。ヒドロゲルレンズ４０２によって環状ステップ６０３に印加される力は、締まりばめによってヒドロゲルレンズ４０２にメディアインサート６００を取り外し可能に取り付ける。いくつかの実施形態では、図６ｃの断面図に示されるように、メディアインサート６００の上面は、ヒドロゲルレンズ４０２の外側表面４０６から部分的に突出してよい。他の実施形態では、メディアインサート６００の上面は、ヒドロゲルレンズ４０２の外側表面４０６と同一平面にあってよい。図６ｄは、挿入されたメディアインサート６００を備えるヒドロゲルレンズ４０２の平面図を示している。メディアインサート６００はヒドロゲルレンズ４０２に取り外し可能に取り付けられているため、例えば、別のヒドロゲルレンズ４０２に挿入するためにヒドロゲルレンズ４０２から取り外されてよい。
【００５４】
図７ａを参照すると、眼用デバイスは取り外し可能なメディアインサート７００を含んでよい。メディアインサート７００は、メディアインサート４００と同一の電子部品を組み込んでよい。メディアインサート７００は、ヒドロゲルレンズ４０２の外側表面４０６の比較的平坦な領域７０１に取り外し可能に取り付けられてよい。比較的平坦な領域７０１は、ヒドロゲルレンズ４０２の他の部分に対してより小さい傾斜を有してよい。メディアインサート７００が比較的平坦な領域７０１に接触すると、表面張力などの付着力によって、メディアインサート７００がヒドロゲルレンズ４０２の外側表面４０６に取り外し可能に取り付けられる。図７ｃの断面図に示されるように、メディアインサート７００は、ヒドロゲルレンズ４０２の外側表面４０６から完全に突出している。図７ｄは、挿入されたメディアインサート７００を備えるヒドロゲルレンズ４０２の平面図を示している。メディアインサート７００はヒドロゲルレンズ４０２に取り外し可能に取り付けられているため、例えば、別のヒドロゲルレンズ４０２に挿入するためにヒドロゲルレンズ４０２から取り外されてよい。
【００５５】
下記の発明を実施するための形態、図面、及び特許請求の範囲を考慮すると、本開示の追加の機能、利点、及び態様が示され、明白である。更に、本開示の前述の要約及び下記の発明を実施するための形態のどちらもが例示であり、特許請求の範囲に記載の本開示の範囲を限定することなく更に説明することを意図していることを理解されたい。
【００５６】
〔実施の態様〕
（１）  眼用デバイスであって、
ヒドロゲルレンズと、
前記ヒドロゲルレンズに取り外し可能に取り付けられたメディアインサートと、を含む、眼用デバイス。
（２）  前記ヒドロゲルレンズが、視覚ゾーンと、前記視覚ゾーンの外側の周辺ゾーンと、を含み、
前記メディアインサートが、前記ヒドロゲルレンズの前記視覚ゾーン内に取り外し可能に取り付けられる、実施態様１に記載の眼用デバイス。
（３）  前記ヒドロゲルレンズが、視覚ゾーンと、前記視覚ゾーンの外側の周辺ゾーンと、を含み、
２つ又は３つ以上の隆起部が、前記ヒドロゲルレンズの前記周辺ゾーンに含まれる、実施態様１に記載の眼用デバイス。
（４）  前記ヒドロゲルレンズの前記周辺ゾーン内の前記２つ又は３つ以上の隆起部の間に間隙部が位置し、酸素透過及び涙流を可能にする、実施態様３に記載の眼用デバイス。
（５）  前記メディアインサートの上面が、前記ヒドロゲルレンズの外側表面から部分的に突出する、実施態様１に記載の眼用デバイス。
【００５７】
（６）  前記メディアインサートが、少なくとも部分的にその周囲に沿ってリブを含む、実施態様１に記載の眼用デバイス。
（７）  前記メディアインサートが、その周囲に沿って２つ又は３つ以上のタブを含む、実施態様１に記載の眼用デバイス。
（８）  前記タブが弾性材料で作製される、実施態様７に記載の眼用デバイス。
（９）  前記メディアインサートが、下環状部を覆う上環状部を含み、かつ環状ステップを画定し、前記下環状部が前記上環状部の直径よりも大きい直径を有する、実施態様１に記載の眼用デバイス。
（１０）  前記ヒドロゲルレンズが、前記ヒドロゲルレンズの中心軸と重なる比較的平坦な部分を含む、実施態様１に記載の眼用デバイス。
【００５８】
（１１）  前記ヒドロゲルレンズが、前記メディアインサートの少なくとも一部を受容するように構成された環状開口部を含む、実施態様１に記載の眼用デバイス。
（１２）  前記メディアインサートが、締まりばめによって前記ヒドロゲルレンズに取り外し可能に取り付けられる、実施態様１に記載の眼用デバイス。
（１３）  前記メディアインサートが、付着取り付けによって前記ヒドロゲルレンズに取り外し可能に取り付けられる、実施態様１に記載の眼用デバイス。
（１４）  前記メディアインサートが１つ又は２つ以上の半導体素子を含む、実施態様１に記載の眼用デバイス。
（１５）  前記メディアインサートが１つ又は２つ以上の励起素子を更に備える、実施態様１に記載の眼用デバイス。
【００５９】
（１６）  ヒドロゲルレンズにメディアインサートを取り外し可能に取り付ける方法であって、
環状開口部を含む第１のヒドロゲルレンズを受容することと、
前記第１のヒドロゲルレンズの前記環状開口部にメディアインサートを少なくとも部分的に挿入することと、
前記第１のヒドロゲルレンズの前記環状開口部から前記メディアインサートを取り外すことと、
環状開口部を含む第２のヒドロゲルレンズを受容することと、
前記第２のヒドロゲルレンズの前記環状開口部に前記取り外したメディアインサートを少なくとも部分的に挿入することと、を含む、方法。
（１７）  前記メディアインサートが取り付け機構を含む、実施態様１６に記載の方法。
（１８）  前記取り付け機構が、少なくとも部分的に前記メディアインサート周囲に沿ってリブを含む、実施態様１７に記載の方法。
（１９）  前記取り付け機構が、前記メディアインサート周囲に沿って２つ又は３つ以上のタブを含む、実施態様１７に記載の方法。
（２０）  前記メディアインサートが、前記第１のヒドロゲルレンズ及び前記第２のヒドロゲルレンズの形成に使用された材料よりも剛性が高い材料で形成される、実施態様１６に記載の方法。
【図１】
2014182400.tif 000003
【図２】
2014182400.tif 000004
【図３】
2014182400.tif 000005
【図４ａ】
2014182400.tif 000006
【図４ｂ】
2014182400.tif 000007
【図４ｃ】
2014182400.tif 000008
【図４ｄ】
2014182400.tif 000009
【図５ａ】
2014182400.tif 000010
【図５ｂ】
2014182400.tif 000011
【図５ｃ】
2014182400.tif 000012
【図５ｄ】
2014182400.tif 000013
【図６ａ】
2014182400.tif 000014
【図６ｂ】
2014182400.tif 000015
【図６ｃ】
2014182400.tif 000016
【図６ｄ】
2014182400.tif 000017
【図７ａ】
2014182400.tif 000018
【図７ｂ】
2014182400.tif 000019
【図７ｃ】
2014182400.tif 000020
【図７ｄ】
2014182400.tif 000021
【外国語明細書】
2014182400000001.pdf